(57)【特許請求の範囲】
【請求項１】
所定のイベントを検出する少なくとも１つのセンサと、
前記少なくとも１つのセンサとＤＥＣＴの通信方式を用いて通信可能であり、固定電話網に接続された他固定電話機と、前記ＤＥＣＴの通信方式を用いてコードレス子機と通話可能な親機と、
表示入力部を有し、前記親機との間で無線ルータを用いて無線通信可能であり、携帯電話網を介して他携帯電話機と接続する携帯電話端末と、を備え、
前記親機は、前記センサが前記所定のイベントを検出すると、前記所定のイベントを検出した前記センサに関する情報を、無線ＬＡＮを用いた前記無線ルータを介して接続された前記携帯電話端末に転送し、
前記携帯電話端末は、前記親機から転送された前記所定のイベントを検出した前記センサに関する情報を前記表示入力部に表示する、
宅内監視システム。
【請求項２】
請求項１に記載の宅内監視システムであって、
前記親機と通話可能な１つ以上の通知先装置、を更に備え、
前記親機は、前記センサと前記１つ以上の通知先装置とが対応付けられた通知先リストを記憶する記憶部を有し、前記所定のイベントの検出を示すイベント検出通知音声を所定回数、前記センサに対応する前記１つ以上の通知先装置に転送し、
前記通知先装置は、前記所定回数に亘って前記親機から転送された前記イベント検出通知音声を出力する、
宅内監視システム。
【請求項３】
請求項２に記載の宅内監視システムであって、
前記通知先装置は前記コ−ドレス子機である、宅内監視システム。
【請求項４】
請求項１に記載の宅内監視システムであって、
撮像部を有する少なくとも１つの監視カメラ、を更に備え、
前記監視カメラは、前記ＤＥＣＴの通信方式により前記撮像部で得た画像データを前記親機に送信し、
前記親機は、前記表示入力部に対する第１操作に応じた信号を受信することで、前記監視カメラから送信された前記画像データを前記携帯電話端末に転送し、
前記携帯電話端末は、前記親機から転送された前記画像データを前記表示入力部に表示し、
前記親機は、前記センサが前記所定のイベントを検出すると、前記所定のイベントを検出した前記センサに関する情報の割込み表示指示を前記携帯電話端末に転送し、
前記携帯電話端末は、前記親機から転送された前記割込み表示指示に応じて、前記所定のイベントを検出した前記センサに関する情報を優先して前記表示入力部に表示する、
宅内監視システム。
【請求項５】
請求項４に記載の宅内監視システムであって、
前記親機は、前記表示入力部に表示された前記センサに関する情報に対する第２操作に応じた信号を受信することで、前記第２操作の対象となるセンサに対応付けられたいずれかの前記監視カメラに、画像データの転送を要求し、
前記監視カメラは、前記親機からの前記画像データの転送要求に応じて、前記ＤＥＣＴの通信方式により前記撮像部で得た画像データを前記親機に送信し、
前記親機は、前記監視カメラから送信された前記画像データを前記携帯電話端末に転送し、
前記携帯電話端末は、前記所定のイベントを検出した前記センサに関する情報を変更して、前記親機から転送された前記画像データを前記表示入力部に表示する、
宅内監視システム。
【発明の詳細な説明】
【技術分野】
【０００１】
本発明は、住宅内の状況を監視する宅内監視システムに関する。
【背景技術】
【０００２】
従来、住宅内を監視するための監視システムの一例として、遠隔地からも容易に遠隔監視し、映像及び音声の双方向通信によって監視対象を監視する監視カメラシステムが知られている（例えば特許文献１参照）。
【０００３】
特許文献１に示す監視システムは、所定の住宅敷地内（構内）の宅内分電盤に設置された監視サーバであるコントローラと、玄関門扉に設置されたインターフォン子機である第１カメラユニットと、ダイニングルームに設置された第２カメラユニットと、ベッドルームに設置された第３カメラユニットと、リビングルームに設置されたインターフォン親機である室内ユニットと、１つ以上の遠隔地にある携帯電話機とを含む構成である。例えば住人の外出時には、コントローラは、各カメラユニットが侵入者を検出する度に、侵入者を捕捉するように撮像及び収音した映像信号及び音声信号を切り替えて携帯電話機に転送する。
【先行技術文献】
【特許文献】
【０００４】
【特許文献１】特開２００７−３２３５３３号公報
【発明の概要】
【発明が解決しようとする課題】
【０００５】
しかし、上述した特許文献１の構成では、侵入者の動き及び音を捕捉するように各カメラユニットからの映像信号及び音声信号を適宜切り替えて携帯電話機に転送するので、コントローラの構成が複雑となり、費用のコストアップが避けられず、コントローラを含む監視システムの導入を安価に行うことが困難であった。また、特許文献１の構成では、センサを用いた侵入者の検出については考慮されていないので、例えば宅内に設置されたカメラユニットで撮像が困難な場所にセンサが設けられている宅内の状況を高精度に監視することが困難であるという課題もある。
【０００６】
本発明は、従来の問題を解決するために、固定電話網に接続されて他の固定電話機と通話可能な既存の固定電話機を用いて、ユーザが宅内に設けられたセンサの設置場所を知らなくても携帯電話端末に通知することで、宅内の状況の高精度な監視を安価に実現する宅内監視システムを提供することを目的とする。
【課題を解決するための手段】
【０００７】
本発明は、所定のイベントを検出する少なくとも１つのセンサと、前記少なくとも１つのセンサとＤＥＣＴの通信方式を用いて通信可能であり、固定電話網に接続された他固定電話機と、前記ＤＥＣＴの通信方式を用いてコードレス子機と通話可能な親機と、表示入力部を有し、前記親機との間で無線ルータを用いて無線通信可能であり、携帯電話網を介して他携帯電話機と接続する携帯電話端末と、を備え、前記親機は、前記センサが前記所定のイベントを検出すると、前記所定のイベントを検出した前記センサに関する情報を、無線ＬＡＮを用いた前記無線ルータを介して接続された前記携帯電話端末に転送し、前記携帯電話端末は、前記親機から転送された前記所定のイベントを検出した前記センサに関する情報を前記表示入力部に表示する、宅内監視システムである。
【発明の効果】
【０００８】
本発明によれば、固定電話網に接続されて他の固定電話機と通話可能な既存の固定電話機を用いて、ユーザが宅内に設けられたセンサの設置場所を知らなくても携帯電話端末に通知することで、宅内の状況の高精度な監視を安価に実現できる。
【図面の簡単な説明】
【０００９】
【図１】本実施形態の宅内監視システムのシステム構成の一例を示す図
【図２】親機の内部構成の一例を示すブロック図
【図３】コードレス子機の内部構成の一例を示すブロック図
【図４】カメラの内部構成の一例を示すブロック図
【図５】センサの内部構成の一例を示すブロック図
【図６】スマートフォンの内部構成の一例を示すブロック図
【図７】本実施形態の宅内監視システムにおいて親機がベビーモニタカメラの録画中の画像をスマートフォンに転送して表示させる動作手順の一例を説明するシーケンス図
【図８】（Ａ）宅内監視システムのクライアントアプリケーションがインストールされたスマートフォンに表示されたホーム画面の一例を示す図、（Ｂ）（Ａ）に示すホーム画面の設定（Ｓｅｔｔｉｎｇｓ）の詳細画面の一例を示す図、（Ｃ）（Ｂ）に示すデバイスプロファイル（Ｄｅｖｉｃｅ  Ｐｒｏｆｉｌｅｓ）の詳細画面の一例を示す図
【図９】（Ａ）宅内監視システムのクライアントアプリケーションがインストールされたスマートフォンに表示されたホーム画面の一例を示す図、（Ｂ）（Ａ）に示すホーム画面の設定（Ｓｅｔｔｉｎｇｓ）の詳細画面の一例を示す図
【図１０】（Ａ）ベビーモニタカメラの録画中にスマートフォンに表示されたライブモニタ画面の一例を示す図、（Ｂ）（Ａ）に示すライブモニタに割込み表示されたアラート通知情報の第１例を示す図、（Ｃ）（Ａ）に示すライブモニタに割込み表示されたアラート通知情報の第２例を示す図
【図１１】アラート通知先リストの一例を示す図
【図１２】本実施形態の宅内監視システムにおいて親機を介してスマートフォンにアラート通知情報を割込み表示させる動作手順の一例を説明するシーケンス図
【発明を実施するための形態】
【００１０】
以下、本発明に係る宅内監視システムを具体的に開示した実施形態（以下、「本実施形態」という）について、図面を参照しながら説明する。以下の本実施形態では、本発明に係る宅内監視システムの一例として、ホームセキュリティに用いられる宅内監視システムを例示して説明する。なお、本発明は、宅内監視システムに限定されず、宅内監視システムを構成する各装置又は各装置における方法、プログラムとして表現することも可能である。
【００１１】
本実施形態の宅内監視システムは、所定のイベントを検出する少なくとも１つのセンサ（例えば後述する人感センサ４０Ａ，４０Ｂ，煙センサ４０Ｃ，開閉センサ４０Ｄ）と、少なくとも１つのセンサと通信可能であり、固定電話網に接続されて他固定電話機と通話可能な親機と、表示入力部を有し、親機との間で無線ルータを用いて無線通信可能であり、携帯電話網を介して他携帯電話機と接続する携帯電話端末と、を備える。親機は、センサが所定のイベントを検出すると、所定のイベントを検出したセンサに関する情報を携帯電話端末に転送する。携帯電話端末は、親機から転送された所定のイベントを検出したセンサに関する情報を表示入力部に表示する。
【００１２】
図１は、本実施形態の宅内監視システム５のシステム構成の一例を示す図である。宅内監視システム５は、主に宅内８に設置されており、親機１０と、２台のコードレス子機（以下、単に「子機」ともいう）２０Ａ，２０Ｂと、複数台のカメラ（屋内カメラ３０Ａ，監視カメラ３０Ｂ，ベビーモニタカメラ３０Ｃ，…）と、各種センサ（具体的には、人感センサ４０Ａ，４０Ｂ，煙センサ４０Ｃ，開閉センサ４０Ｄ，…）と、スマートフォン５０と、無線ルータ６０とを含む構成である。なお、この宅内監視システム５の構成は一例であり、種々の態様に変更可能である。
【００１３】
宅内監視システム５におけるゲートウェイとしての機能を有する親機１０は、宅内監視システム５の全体の動作を制御する制御装置であり、例えばＤＥＣＴ（Digital Enhanced Cordless Telecommunications）の通信方式を用いて、子機、カメラ、センサ等と通信可能に接続される。また、親機１０は、無線ＬＡＮを用いた無線ルータ６０を介してインターネット６５に接続される。また、親機１０は、有線で固定電話網８５に接続され、例えばスマートフォン５０を所持するユーザ（以下、単に「ユーザ」という）が予め転送先として指定した固定電話機８０との間で通話可能である。また、親機１０は、差込口１０ａに挿入された子機２０Ａを充電する機能を有する。
【００１４】
子機２０Ａ，２０Ｂは、ＤＥＣＴの通信方式を用いて親機１０と接続され、親機１０と通話可能である。以下、特に２台の子機２０Ａ，２０Ｂを区別する必要が無い場合には、子機２０と総称する。
【００１５】
各種センサ４０（具体的には、人感センサ４０Ａ，４０Ｂ，煙センサ４０Ｃ，開閉センサ４０Ｄ，…）は、ＤＥＣＴの通信方式を用いて親機１０と接続される。ここでは、センサとして、窓の開閉を検出する開閉センサ４０Ｄ、煙を感知する煙センサ４０Ｃ、及び赤外線によって人を感知する人感センサ４０Ａ，４０Ｂが用いられる。以下、特にこれらのセンサの種類を区別する必要が無い場合には、センサ４０と総称する。また、後述するように、カメラ３０に内蔵された赤外線センサ３１３（図４参照）も、人感センサとして用いられる。
【００１６】
複数台のカメラ（例えば屋内カメラ３０Ａ，監視カメラ３０Ｂ，ベビーモニタカメラ３０Ｃ，…）は、通話機能を有し、ＤＥＣＴの通信方式を用いて親機１０と接続される。ここでは、カメラとして、屋外を撮像する監視カメラ３０Ｂ、宅内８を撮像する屋内カメラ３０Ａ、及び乳幼児の睡眠場所（例えばベビーベッド（不図示）若しくはその周囲）を撮像するベビーモニタカメラ３０Ｃが用いられる。以下、特にカメラの種類を区別する必要が無い場合、カメラ３０と総称する。
【００１７】
スマートフォン５０は、無線ＬＡＮを用いた無線ルータ６０を介して親機１０と接続され、更に、３Ｇ（第３世代）、ＨＳＰＡ（High Speed Packet Access）若しくはＬＴＥ（Long Term Evolution）等の通信方式を用いた携帯電話網７５を介して携帯電話機７０や他のスマートフォン等と接続される。
【００１８】
図２は、親機１０の内部構成の一例を示すブロック図である。親機１０は、制御部１０９と、記憶部１０３と、操作部１０５と、表示部１０６とを含む構成である。親機１０は、各種の入力操作を受け付け、表示部１０６に画像等の情報を表示する。制御部１０９は、呼制御部１１０及び音声ストリーム処理部１１２を内蔵し、通話の呼制御や音声データの処理等を行う。
【００１９】
また、親機１０は、画像メモリ制御部１１５と、画像メモリ１１６とを有し、カメラ３０で撮像された画像データ等を画像メモリ１１６に記憶する。
【００２０】
また、親機１０は、無線ＬＡＮ制御部１２１と、無線ＬＡＮ通信Ｉ／Ｆ部１２２とを有し、無線ＬＡＮで接続された無線ルータ６０を介してスマートフォン５０、カメラ３０等と画像データ及び音声データを送受信する。
【００２１】
また、親機１０は、ＤＥＣＴプロトコル制御部１０８と、ＤＥＣＴ無線Ｉ／Ｆ部１０７とを有し、ＤＥＣＴの無線方式を用いて、子機２０、センサ４０及びカメラ３０と無線接続を行う。
【００２２】
また、親機１０は、音声バス１１７と、音声入出力制御部１０４と、スピーカ１２９と、マイク１２８とを有し、外部に対して音声の入出力を行う。
【００２３】
また、親機１０は、固定電話回線Ｉ／Ｆ部１０１を有し、固定電話網８５に接続された外部の固定電話機８０（図１参照）と通話可能である。固定電話機８０は、例えば親機１０に着信があった時に宅内８に人が不在であった場合に、親機１０への入電が転送される転送先として予めユーザにより指定されているとする。
【００２４】
また、親機１０は、子機／携帯端末充電部１２６を有し、差込口１０ａに挿入された子機２０若しくはスマートフォン５０を充電する。
【００２５】
また、親機１０は、ＵＳＢ通信Ｉ／Ｆ部１２７を有し、ＵＳＢ（Universal Serial Bus）規格のインタフェースを有する機器やメモリ等とデータを送受信する。
【００２６】
また、親機１０は、各種センサ４０と複数のカメラ３０とのペアをそれぞれ関連付けて記憶部１０３に登録する。例えば、人感センサ４０Ｂと監視カメラ３０Ｂとは、屋外の近接した場所に設置されているので、関連付けて登録される。また、監視カメラ３０Ｂは、後述するように、人感センサである赤外線センサ３１３（図４参照）を一体として内蔵するので、この赤外線センサ３１３とも関連付けて登録される。また、人感センサ４０Ａと、煙センサ４０Ｃと、開閉センサ４０Ｄとは、いずれも宅内８に設置されているので、屋内カメラ３０Ａ又はベビーモニタカメラ３０Ｃのいずれかとそれぞれ関連付けて登録される。
【００２７】
また、親機１０は、いずれかのセンサ４０と１つ以上のアラート通知情報（後述参照）の通知先装置（例えばコードレス子機２０，固定電話機８０）とが対応付けられた通知先リストの一例としてのアラーム通知先リスト（図１１参照）を記憶部１０３において記憶している。図１１は、アラート通知先リストの一例を示す図である。図１１では、センサ４０の名称とセンサ４０の識別情報（ＩＤ）とセンサ４０の設置場所とアラート通知情報の通知先装置とがセンサ４０毎に対応付けて示されている。なお、説明を簡単にするために、センサ４０のＩＤと各センサに使用する符号とは同一のものを使用している。
【００２８】
例えば、識別番号（ＩＤ）が「４０Ａ１」である人感センサ４０Ａ１は、玄関に設置され、スマートフォン５０、コードレス子機２０及び固定電話機８０がアラート通知情報（後述参照）の通知先装置として登録されている。つまり、人感センサ４０Ａ１が所定のイベント（例えば人物を感知（検出）したこと）を検出した場合には、親機１０を介して、スマートフォン５０、コードレス子機２０及び固定電話機８０に対し、アラート通知情報が通知される。
【００２９】
例えば、識別番号（ＩＤ）が「４０Ａ２」である人感センサ４０Ａ２は、居間に設置され、スマートフォン５０及びコードレス子機２０がアラート通知情報（後述参照）の通知先装置として登録されている。つまり、人感センサ４０Ａ２が所定のイベント（例えば人物を感知（検出）したこと）を検出した場合には、親機１０を介して、スマートフォン５０及びコードレス子機２０に対し、アラート通知情報が通知される。
【００３０】
例えば、識別番号（ＩＤ）が「４０Ａ３」である人感センサ４０Ａ３は、寝室に設置され、スマートフォン５０がアラート通知情報（後述参照）の通知先装置として登録されている。つまり、人感センサ４０Ａ３が所定のイベント（例えば人物を感知（検出）したこと）を検出した場合には、親機１０を介して、スマートフォン５０に対し、アラート通知情報が通知される。
【００３１】
図３は、（コードレス）子機２０の内部構成の一例を示すブロック図である。子機２０は、制御部２４７と、記憶部２４２と、操作部２４４と、表示部２４５とを含む構成である。子機２０は、各種の入力操作を受け付け、表示部２４５に画像等の情報を表示する。また、子機２０は、親機１０からアラート通知情報の通知を受けた場合には、アラート通知情報を表示部２４５に表示する。
【００３２】
また、子機２０は、ＤＥＣＴプロトコル制御部２４９と、ＤＥＣＴ無線Ｉ／Ｆ部２４８とを有し、ＤＥＣＴの無線方式を用いて親機１０、センサ４０及びカメラ３０と無線接続を行う。
【００３３】
また、子機２０は、音声バス２５５と、音声入出力制御部２４３と、スピーカ２５２と、マイク２５１とを有し、外部に対して音声の入出力を行う。また、子機２０は、いずれかのセンサ４０において所定のイベントが検出された旨の通知音声（イベント検出通知音声）の音声データを親機１０から受信した場合には、所定回数（例えば３回）ほど、イベント検出通知の音声データをスピーカ２５２から出力する。所定回数は子機２０において予め規定されてもよいし、親機１０からイベント検出通知音声の音声データの中で指示された回数でもよい。
【００３４】
また、子機２０は、２次電池２５０を有し、コードレス子機として使用する場合には、２次電池２５０から供給された電力を子機２０の各部において供給して動作する。
【００３５】
図４は、カメラ３０の内部構成の一例を示すブロック図である。カメラ３０の一例としての屋内カメラ３０Ａ、監視カメラ３０Ｂ及びベビーモニタカメラ３０Ｃは、いずれもほぼ同じ構成を有する。カメラ３０は、制御部３０９と、記憶部３０３と、操作部３０５とを含む構成である。カメラ３０は、撮像に関する動作を行うとともに、ユーザの入力操作を受け付ける。
【００３６】
また、カメラ３０は、ＤＥＣＴプロトコル制御部３１７と、ＤＥＣＴ無線Ｉ／Ｆ部３１８とを有し、ＤＥＣＴの無線方式を用いて親機１０と無線接続を行う。
【００３７】
また、カメラ３０は、無線ＬＡＮ制御部３２１と、無線ＬＡＮ通信Ｉ／Ｆ部３２２とを有し、無線ＬＡＮで接続された無線ルータ６０を介して、親機１０若しくはスマートフォン５０等との間で画像データ及び音声データを送受信する。
【００３８】
また、カメラ３０は、音声バス３０７と、音声入出力制御部３０４と、スピーカ３２９と、マイク３２８とを有し、外部に対して音声の入出力を行う。例えば、カメラ３０は、マイク３２８において収音した音声データを親機１０に送信し、親機１０から転送された音声データ（例えばスマートフォン５０を所持するユーザの通話音声）を含む音声データをスピーカ３２９から出力する。
【００３９】
また、カメラ３０は、撮像部３１２と、画像メモリ制御部３１６と、画像メモリ３１５とを有し、撮像部３１２で撮像された画像データを画像メモリ３１５に記憶する。撮像部３１２は、周知の撮像機構を有し、例えばレンズ及び撮像素子（ＣＣＤ（Charge Coupled Device）若しくはＣＭＯＳ（Complementary Metal Oxide Semiconductor）等のイメージセンサ）を少なくとも有する。
【００４０】
また、カメラ３０は、人感センサとして、ＰＩＲ（Passive Infra Red）センサである赤外線センサ３１３を一体に内蔵する。赤外線センサ３１３は、人が発する熱（赤外線）の変化を検出して人の存在を感知する。カメラ３０は、商用交流を電源とする電源部３１４を有する。但し、図１に示すベビーモニタカメラ３０Ｃには、図４に示す赤外線センサ３１３は設けられていない。
【００４１】
図５は、センサ４０の内部構成の一例を示すブロック図である。センサ４０は、制御部４４７と、記憶部４４２と、表示ランプ４４５とを含む構成である。センサ４０は、所定のイベント（例えば侵入者等の人物を検出すること。特にイベントの説明として他の内容が説明されない限り、以下同様とする。）を検出した場合に、表示ランプ４４５を点灯する等、所定の検出動作を行う。
【００４２】
また、センサ４０は、ＤＥＣＴプロトコル制御部４４９と、ＤＥＣＴ無線Ｉ／Ｆ部４４８とを有し、ＤＥＣＴの無線方式を用いて親機１０と無線接続を行い、所定のイベントを検出すると、イベントを検出した旨の通知（イベント検出通知）を親機１０に送信する。
【００４３】
センサ部４５３は、センサ４０の種類によって異なる。例えば人感センサ４０Ａ１，４０Ａ１，４０Ａ３，４０Ｂの場合、センサ部４５３は、赤外線の変化によって人を感知するＰＩＲセンサである。玄関若しくは窓等の開閉を検出する開閉センサ４０Ｄの場合、センサ部４５３は、開閉によってオン／オフに切り替わるリードスイッチである。煙センサ４０Ｃの場合、センサ部４５３は、発光した光が煙によって遮光されることで煙を感知する発光・受光部である。充電池４５０は、充電可能な電池であり、各部に電力を供給する。また、センサ部４５３は、周囲の温度を検出可能な温度センサでもよい。
【００４４】
図６は、スマートフォン５０の内部構成の一例を示すブロック図である。携帯電話端末としてのスマートフォン５０は、制御部５０６と、記憶部５０４と、表示／操作部（例えばタッチパネル）５０３とを含む構成である。スマートフォン５０は、各種の入力操作を受け付け、表示／操作部５０３に画像やアラート通知情報（例えば図１０（Ｂ）又は図１０（Ｃ）参照）等の情報を表示する。制御部５０６は、後述するように、カメラ３０の機能を設定可能な監視機能制御部５１４を内蔵する。
【００４５】
タッチパネルにより構成される表示／操作部５０３は、表示部及び操作部が一体化された表示入力部であり、画面に画像やアイコン等の情報を表示するとともに、ユーザによる画面へのタップ操作（又はタッチ操作）を受け付ける。
【００４６】
また、スマートフォン５０は、本実施形態の宅内監視システム５に対応したクライアントアプリケーションがインストールされており、このクライアントアプリケーションのプログラム及びデータが記憶部５０４において記憶されている。ユーザの入力操作により、スマートフォン５０は、クライアントアプリケーションを記憶部５０４から読み出して起動する。
【００４７】
また、スマートフォン５０は、３Ｇプロトコル制御部５０２と、３Ｇ無線Ｉ／Ｆ部５０１とを有し、３Ｇ（第３世代）の無線通信方式を用いて、携帯電話網７５に接続された携帯電話機７０や他のスマートフォンと無線接続を行う。なお、スマートフォン５０は、３Ｇ以外の無線通信方式（例えばＨＳＰＡやＬＴＥ）に対応したプロトコル制御部及び無線Ｉ／Ｆ部を有してもよい。
【００４８】
また、スマートフォン５０は、音声バス５１５と、音声入出力制御部５０５と、スピーカ５１３と、マイク５１２とを有し、外部に対して音声の入出力を行う。例えば、スマートフォン５０は、マイク５１２において収音したユーザの音声データを親機１０に送信し、カメラ３０（例えばベビーモニタカメラ３０Ｃ）が収音した通話相手の音声データの転送を親機１０から受け、親機１０から転送された音声データをスピーカ３２９から出力する。これにより、本実施形態の宅内監視システム５では、親機１０を介して、スマートフォン５０とカメラ３０（例えばベビーモニタカメラ３０Ｃ）との間で双方向通信が可能となる。
【００４９】
また、スマートフォン５０は、無線ＬＡＮ制御部５０７と、無線ＬＡＮ通信Ｉ／Ｆ部５０８とを有し、無線ＬＡＮで接続された無線ルータ６０を介して、親機１０若しくはカメラ３０等と画像データ及び音声データを送受信する。
【００５０】
また、スマートフォン５０は、ＵＳＢ通信Ｉ／Ｆ部５１１を有し、ＵＳＢ（Universal Serial Bus）規格のインタフェースを有する機器やメモリ等とデータを送受信する。
【００５１】
次に、本実施形態の宅内監視システム５の動作の一例について、図７を参照して説明する。図７は、本実施形態の宅内監視システム５において親機１０がベビーモニタカメラ３０Ｃの録画中の画像をスマートフォン５０に転送して表示させる動作手順の一例を説明するシーケンス図である。なお、図７では、説明を簡単にするために、カメラ３０の一例としてベビーモニタカメラ３０Ｃを用いているが、他のカメラ３０でもよい。
【００５２】
また、図７の説明の前提として、スマートフォン５０には本実施形態の宅内監視システム５に対応したホームセキュリティ用のクライアントアプリケーションが起動しているとする。
【００５３】
図７において、親機１０は、所定のトリガ動作の検出情報（例えばスマートフォン５０を操作するユーザが宅内監視システム５に対応したホームセキュリティ用のクライアントアプリケーションの起動操作に関する情報）を取得すると（Ｓ１）、無線ＬＡＮを用いてスマートフォン５０との間で無線通信の接続を行い（Ｓ２）、スマートフォン５０との間の無線通信の接続が完了すると、スマートフォン５０に所定のトリガ動作の検出情報（上述参照）を転送する（Ｓ３）。
【００５４】
スマートフォン５０は、ユーザにより、画像／音声データの転送要求の指示操作を受け付けると（Ｓ４）、画像／音声データの転送要求の指示操作の情報を送信する（Ｓ５）。親機１０は、スマートフォン５０からの指示操作の情報を受信すると、ベビーモニタカメラ３０Ｃに対し、画像／音声データの転送を要求する（Ｓ６）。なお、親機１０は、スマートフォン５０に所定のトリガ動作の検出情報（上述参照）を転送すると同時に、ベビーモニタカメラ３０Ｃに対し、画像／音声データの転送を要求してもよい（Ｓ６）。
【００５５】
ベビーモニタカメラ３０Ｃは、親機１０からの画像／音声データの転送要求を受信すると、無線ＬＡＮを用いて親機１０との間で無線通信の接続を行い、撮像部３１２で撮像した画像データ及びマイク３２８で収音した音声データを取得して親機１０に転送する（Ｓ７）。親機１０は、ベビーモニタカメラ３０Ｃから転送された画像データ及び音声データをスマートフォン５０に転送する（Ｓ８）。スマートフォン５０は、親機１０から転送された画像データを表示／操作部５０３に表示し、更に、親機１０から転送された音声データをスピーカ５１３から出力する。これにより、スマートフォン５０は、図１０（Ａ）に示すライブモニタ画面を表示できる（Ｓ９）。
【００５６】
次に、スマートフォン５０に表示される各種画面の例について、図８（Ａ）、図８（Ｂ）、図８（Ｃ）、図９（Ａ）、図９（Ｂ）、図１０（Ａ）、図１０（Ｂ）及び図１０（Ｃ）を参照して説明する。なお、図８（Ａ）に示すホーム画面と図９（Ａ）に示すホーム画面とは同一であるため、重複した説明は省略する。
【００５７】
先ず、スマートフォン５０において起動したクライアントアプリケーションのホーム画面について、図８（Ａ）を参照して説明する。図８（Ａ）は、宅内監視システム５のクライアントアプリケーションがインストールされたスマートフォン５０に表示されたホーム画面の一例を示す図である。
【００５８】
図８（Ａ）に示すホーム画面では、スマートフォン５０の表示／操作部５０３に、カメラ（Ｃａｍｅｒａ）、センサ（Ｓｅｎｓｏｒ）、スマートプラグ（Ｐｌｕｇ）、スマートフォン（Ｐｈｏｎｅ）、宅内制御（Ｓｍａｒｔ  Ｃｏｎｔｒｏｌ）、及び設定（Ｓｅｔｔｉｎｇｓ）を示すアイコンがそれぞれ表示されている。ユーザが指ＦＧで設定（Ｓｅｔｔｉｎｇｓ）を示すアイコンをタップ操作すると、スマートフォン５０は、図８（Ｂ）に示す設定（Ｓｅｔｔｉｎｇｓ）の詳細画面を表示／操作部５０３に表示する。図８（Ｂ）は、図８（Ａ）に示すホーム画面の設定（Ｓｅｔｔｉｎｇｓ）の詳細画面の一例を示す図である。図８（Ｂ）に示す設定（Ｓｅｔｔｉｎｇｓ）の詳細画面では、複数の項目に関する設定メニューが表示されている。
【００５９】
例えばユーザが指ＦＧで設定メニューのうちデバイスプロファイル（Ｄｅｖｉｃｅ  Ｐｒｏｆｉｌｅｓ）の設定メニューをタップ操作すると、スマートフォン５０は、図８（Ｃ）に示すデバイスプロファイル（Ｄｅｖｉｃｅ  Ｐｒｏｆｉｌｅｓ）の詳細画面を表示／操作部５０３に表示する。なお、指ＦＧによりタップ操作された設定メニューであるデバイスプロファイル（Ｄｅｖｉｃｅ  Ｐｒｏｆｉｌｅｓ）には、タップ操作されたことを示す枠ＦＲ１が瞬時的に表示される。図８（Ｃ）は、図８（Ｂ）に示すデバイスプロファイル（Ｄｅｖｉｃｅ  Ｐｒｏｆｉｌｅｓ）の詳細画面の一例を示す図である。ここでは説明を簡単にするために、デバイスとしてセンサ４０が指定された場合に、図８（Ｃ）に示す画面が表示されたとする。
【００６０】
図８（Ｃ）に示すデバイスプロファイル（Ｄｅｖｉｃｅ  Ｐｒｏｆｉｌｅｓ）の詳細画面では、デバイス（つまりセンサ４０）の設置場所（Ｌｏｃａｔｉｏｎ）の入力受付領域と、センサ４０の名称（Ｎａｍｅ）の入力受付領域と、センサ４０が「窓の開閉センサ」であるのか「ドアの開閉センサ」であるかの選択指示領域とが表示されている。図８（Ｃ）では、センサ４０の設置場所の入力受付領域に何も入力されていない場合には「Ｎｏｔ  Ａｓｓｉｇｎｅｄ」と表示され、センサ４０のタイプとして「窓の開閉センサ」である旨の選択がなされた場合にはセンサ４０の名称（Ｎａｍｅ）の入力受付領域には「Ｗｉｎｄｏｗ  １」と仮の名称が表示される。なお、センサ４０の設置場所（Ｌｏｃａｔｉｏｎ）や名称（Ｎａｍｅ）は、ユーザの指ＦＧによる入力操作により、適宜変更可能である。
【００６１】
例えばセンサ４０の設置場所（Ｌｏｃａｔｉｏｎ）及び名称（Ｎａｍｅ）に適切な設置場所及び名称が入力され、センサ４０のタイプとして「Ｗｉｎｄｏｗ（窓）」又は「Ｄｏｏｒ（玄関）」のいずれかが選択されてＯＫボタンがタップされた場合には、スマートフォン５０は、ユーザの指ＦＧによる操作により、デバイス（センサ４０）のプロファイルを設定完了する。このようなデバイスのプロファイルは、本実施形態の宅内監視システム５の動作（図１２参照）の前に予め設定されていることが好ましい。
【００６２】
次に、アラート通知情報の通知先装置の設定に関して、図９（Ａ）及び図９（Ｂ）を参照して説明する。図９（Ａ）は、宅内監視システム５のクライアントアプリケーションがインストールされたスマートフォン５０に表示されたホーム画面の一例を示す図である。図９（Ｂ）は、図９（Ａ）に示すホーム画面の設定（Ｓｅｔｔｉｎｇｓ）の詳細画面の一例を示す図である。
【００６３】
例えばユーザが指ＦＧで設定メニューのうち通知先装置の設定（Ｎｏｔｉｆｉｃａｔｉｏｎ  Ｓｅｔｔｉｎｇｓ）の設定メニューをタップ操作すると（図９（Ｂ）参照）、スマートフォン５０は、センサ４０毎にアラート通知情報の通知先装置を設定するための設定画面（不図示）を表示／操作部５０３に表示する。なお、指ＦＧによりタップ操作された設定メニューである通知先装置の設定（Ｎｏｔｉｆｉｃａｔｉｏｎ  Ｓｅｔｔｉｎｇｓ）には、タップ操作されたことを示す枠ＦＲ２が瞬時的に表示される。この設定画面を用いた設定によって、センサ４０毎に、アラート情報の通知先となる通知先装置が設定される（図１１参照）。
【００６４】
次に、カメラ３０（例えばベビーモニタカメラ３０Ｃ）が撮像したリアルタイムな画像データがスマートフォン５０において表示されたライブモニタ画面について、図１０（Ａ）を参照して説明する。図１０（Ａ）は、ベビーモニタカメラ３０Ｃの録画中にスマートフォン５０に表示されたライブモニタ画面の一例を示す図である。
【００６５】
図１０（Ａ）に示すスマートフォン５０の表示／操作部５０３には、ベビーモニタカメラ３０Ｃが録画（撮像）しているリアルタイムな画像（映像でも可）ＭＶ１が表示され、撮像主体となるカメラ３０の名称（例えばベビーモニタカメラ３０Ｃ）ＮＭ１も表示されている。また、スマートフォン５０の表示／操作部５０３には、撮像主体となるカメラ３０とペアを構成するセンサ４０により検出された温度に関する情報も表示されてもよい。また、スマートフォン５０の表示／操作部５０３には、ｐｈｏｔｏアイコンＩＣ１とＶｉｄｅｏアイコンＩＣ２とＶｏｉｃｅアイコンＩＣ３とＬｕｌｌａｂｙアイコンＩＣ４とが選択可能に表示されている。
【００６６】
ｐｈｏｔｏアイコンＩＣ１、ＶｉｄｅｏアイコンＩＣ２、ＶｏｉｃｅアイコンＩＣ３、ＬｕｌｌａｂｙアイコンＩＣ４は、それぞれ静止画（ｐｈｏｔｏ）、動画（Ｖｉｄｅｏ）、音声（通話音声等のＶｏｉｃｅ）、音源（Ｌｕｌｌａｂｙ）に応じた各種設定を行えるように予め配置されたメニューアイコンである。例えばｐｈｏｔｏアイコンＩＣ１は、カメラ３０の録画開始を指示し、カメラ３０により録画された画像の機能を設定する際に使用されるアイコンである。ＶｉｄｅｏアイコンＩＣ２は、カメラ３０の録画開始を指示し、カメラ３０により録画された映像の機能を設定する際に使用されるアイコンである。ＶｏｉｃｅアイコンＩＣ３は、カメラ３０との間の双方向の通話開始を指示し、カメラ３０との間の双方向通話の機能を設定する際に使用されるアイコンである。
【００６７】
また例えばカメラ３０（例えばベビーモニタカメラ３０Ｃ）においてララバイ音源の音声データが出力（再生）されていない場合に、ＬｕｌｌａｂｙアイコンＩＣ４がタップ操作された時、スマートフォン５０は、ララバイ音源選択画面（不図示）を表示／操作部５０３に表示し、ユーザのいずれかのララバイ音源の選択操作を受け付ける。
【００６８】
次に、図１０（Ａ）に示すライブモニタに割込み表示されたアラート通知情報の具体例について、図１０（Ｂ）及び図１０（Ｃ）を参照して説明する。図１０（Ｂ）は、図１０（Ａ）に示すライブモニタに割込み表示されたアラート通知情報の第１例を示す図である。図１０（Ｃ）は、図１０（Ａ）に示すライブモニタに割込み表示されたアラート通知情報の第２例を示す図である。
【００６９】
図１０（Ｂ）では、アラート通知情報として、図８（Ｃ）においてタイプが「Ｗｉｎｄｏｗ（窓）」に選択されたセンサ４０が所定のイベント（例えば窓が開閉すること）を検出した場合に、スマートフォン５０の表示／操作部５０３に表示された例が示されている。図１０（Ｂ）に示すアラート通知情報の画面例では、該当するセンサ４０（つまり、タイプが「Ｗｉｎｄｏｗ（窓）」に選択されたセンサ）であることが視覚的にユーザに認知可能なセンサアイコンＩＣ５ａと、図１０（Ｂ）に示すアラート通知情報の表示を停止するためのストップアイコンＩＣ６ａとが表示されている。またセンサアイコンＩＣ５ａの上部には、該当するセンサ４０の設置場所（Ｌｏｃａｔｉｏｎ）及び名称（Ｎａｍｅ）がテキストとして表示されている。ストップアイコンＩＣ６ａがタップ操作された場合には、スマートフォン５０は、図１０（Ｂ）に示すアラート通知情報を割込み表示する直前に表示されていたライブモニタ（図１０（Ａ）参照）を表示／操作部５０３に表示する。
【００７０】
なお、センサアイコンＩＣ５ａに対してユーザの指ＦＧによるタップ操作がなされた場合には、スマートフォン５０は、センサアイコンＩＣ５ａに対応するセンサ４０とペアを構成するように対応付けられたカメラ３０（例えば屋内カメラ３０Ａ）が撮像した画像データ及び収音した音声データの転送を親機１０に要求する（図１２参照）。
【００７１】
同様に、図１０（Ｃ）では、アラート通知情報として、図８（Ｃ）においてタイプが「Ｄｏｏｒ（玄関）」に選択されたセンサ４０が所定のイベント（例えば玄関が開閉すること）を検出した場合に、スマートフォン５０の表示／操作部５０３に表示された例が示されている。図１０（Ｃ）に示すアラート通知情報の画面例では、該当するセンサ４０（つまり、タイプが「Ｄｏｏｒ（玄関）」に選択されたセンサ）であることが視覚的にユーザに認知可能なセンサアイコンＩＣ５ｂと、図１０（Ｃ）に示すアラート通知情報の表示を停止するためのストップアイコンＩＣ６ｂとが表示されている。またセンサアイコンＩＣ５ａの上部には、該当するセンサ４０の設置場所（Ｌｏｃａｔｉｏｎ）及び名称（Ｎａｍｅ）がテキストとして表示されている。ストップアイコンＩＣ６ｂがタップ操作された場合には、スマートフォン５０は、図１０（Ｃ）に示すアラート通知情報を割込み表示する直前に表示されていたライブモニタ（図１０（Ａ）参照）を表示／操作部５０３に表示する。
【００７２】
なお、センサアイコンＩＣ５ｂに対してユーザの指ＦＧによるタップ操作がなされた場合には、スマートフォン５０は、センサアイコンＩＣ５ｂに対応するセンサ４０とペアを構成するように対応付けられたカメラ３０（例えば監視カメラ３０Ｂ）が撮像した画像データ及び収音した音声データの転送を親機１０に要求する（図１２参照）。
【００７３】
次に、本実施形態の宅内監視システム５においてアラート通知先リストの設定、及びセンサ４０が所定のイベントを検出した場合のアラート通知情報の割込み表示について、図１２を参照して説明する。図１２は、本実施形態の宅内監視システム５において親機１０を介してスマートフォン５０にアラート通知情報を割込み表示させる動作手順の一例を説明するシーケンス図である。なお、図１２の説明の前提として、屋内カメラ３０Ａは、屋内カメラ３０Ａの撮像範囲を撮像し、更に、撮像範囲の音声を収音している（Ｓ０）。
【００７４】
また、図１２では、宅内８に複数のセンサ４０の一例として、玄関に設置された人感センサ４０Ａ１、居間に設置された人感センサ４０Ａ２、及び寝室に設置された人感センサ４０Ａ３を用いて説明する。
【００７５】
図１２において、図１０（Ａ）に示すライブモニタ画面がスマートフォン５０の表示／操作部５０３に表示されている状態で（Ｓ９）、ユーザがアラート通知情報の通知先装置の設定を指示するための操作（例えば図９（Ｂ）に示す「Ｎｏｔｉｆｉｃａｔｉｏｎ  Ｓｅｔｔｉｎｇｓ」の設定メニューのタップ操作）を行うと、スマートフォン５０は、アラート情報の通知先装置の設定画面（不図示）を表示／操作部５０３に表示する。ユーザがスマートフォン５０に表示された設定画面に対し、センサ４０毎にアラート通知情報の通知先装置の設定情報を入力すると（Ｓ１１）、スマートフォン５０は、アラート通知情報の通知先装置の設定情報を親機１０に送信する（Ｓ１２）。
【００７６】
親機１０は、スマートフォン５０から送信されたアラート通知情報の通知先装置の設定情報を受信すると、センサ４０毎の図１１に示すアラート通知先リストを生成する（Ｓ１３）。
【００７７】
ここで、居間に設置された人感センサ４０Ａ２が所定のイベント（例えば侵入者等の人物がいること）を検出すると（Ｓ１４）、人感センサ４０Ａ２は、ＤＥＣＴによりイベント検出通知を親機１０に送信する（Ｓ１５）。
【００７８】
親機１０は、人感センサ４０Ａ２からイベント検出通知を受信すると、人感センサ４０Ａ２においてイベント検出があった旨をユーザに知らせるためのアラート通知情報を生成する（Ｓ１６）。更に、親機１０は、ステップＳ１３において生成したアラート通知先リスト（図１１参照）を基に、人感センサ４０Ａ２に対応する通知先装置（つまり、スマートフォン５０、コードレス子機２０）のうちスマートフォン５０に対し、ステップＳ１６において生成したアラート通知情報を転送する（Ｓ１７）。
【００７９】
スマートフォン５０は、親機１０から転送されたアラート通知情報を表示／操作部５０３に割込み表示する（Ｓ１８）。つまり、ステップＳ９においていずれかのカメラ３０から親機１０を介して転送された画像データがライブモニタとして表示／操作部５０３に表示されていたが、アラート通知情報（図１０（Ｂ）又は図１０（Ｃ）参照）がいずれかのカメラ３０からの画像データよりも優先的に表示される。これにより、ユーザは、いずれかのセンサ４０が所定のイベントを検出した旨を、スマートフォン５０の表示／操作部５０３において簡易に確認できる。
【００８０】
更に、親機１０は、ステップＳ１６の後、公知技術であるＴＴＳ（Ｔｅｘｔ  Ｔｏ  Ｓｐｅｅｃｈ）処理を行うことで、ステップＳ１６において生成したアラート通知情報が示す内容のテキスト（例えば「居間の人感センサが感知しました」）に対応する通知音声（アラート通知音声）を生成する（Ｓ１９）。親機１０は、ステップＳ１３において生成したアラート通知先リスト（図１１参照）を基に、人感センサ４０Ａ２に対応する通知先装置（つまり、スマートフォン５０、コードレス子機２０）のうちコードレス子機２０に対し、ステップＳ１９において生成したアラート通知音声を所定回数（例えば３回）ほど転送する（Ｓ２０）。また、親機１０は、ステップＳ２０の後、アラート通知音声の転送の終了を示すベル鳴動の指示をコードレス子機２０に転送する（Ｓ２２）。
【００８１】
コードレス子機２０は、親機１０から所定回数ほど転送されたアラート通知音声をスピーカ２５２から出力し（Ｓ２１）、ステップＳ２１の後、ステップＳ２２により親機１０から転送されたベル鳴動の指示に応じて、所定のベル音をスピーカ２５２から出力する（Ｓ２３）。
【００８２】
また、スマートフォン５０の表示／操作部５０３に表示されたアラート通知情報がユーザの指ＦＧによりタップ操作されると（Ｓ２４）、スマートフォン５０は、アラート通知情報がタップ操作された旨の操作情報を親機１０に転送する（Ｓ２５）。
【００８３】
親機１０は、スマートフォン５０からの操作情報を受信すると、アラート通知情報により示されるセンサ４０（つまり、図１２では居間に設置された人感センサ４０Ａ２）とペアを構成するように対応付けられたカメラ３０（例えば屋内カメラ３０Ａ）に対し、画像データ及び音声データの転送要求を送信する（Ｓ２６）。屋内カメラ３０Ａは、親機１０からの転送要求に応じて、マイク３２８で収音した音声データ及び撮像部３１２で得た画像データを親機１０に転送する（Ｓ２７）。親機１０は、屋内カメラ３０Ａから転送された画像データ及び音声データをスマートフォン５０に転送する（Ｓ２８）。スマートフォン５０は、親機１０から転送された画像データ及び音声データを受信すると、画像データを表示／操作部５０３に表示し、音声データをスピーカ５１３から出力する（Ｓ２９）。
【００８４】
以上により、本実施形態の宅内監視システム５では、所定のイベントを検出する少なくとも１つのセンサ４０（例えば人感センサ４０Ａ，４０Ｂ，煙センサ４０Ｃ，開閉センサ４０Ｄ）が所定のイベント（例えば人物検出、煙検出、窓の開閉検出）を検出すると、少なくとも１つのセンサ４０と通信可能な親機１０は、所定のイベントを検出したセンサ４０に関する情報（例えばアラート通知情報）をスマートフォン５０に転送する。スマートフォン５０は、親機１０から転送された所定のイベントを検出したセンサ４０に関する情報（例えばアラート通知情報）を表示／操作部５０３に表示する。
【００８５】
これにより、宅内監視システム５は、固定電話網８５に接続されて他の固定電話機８０と通話可能な既存の固定電話機である親機１０を用いて、スマートフォン５０を所持するユーザが宅内８に設けられたセンサ４０の設置場所を知らなくてもスマートフォン５０に通知することで、宅内８の状況の高精度な監視を安価に実現できる。つまり、複数のセンサ４０を有する宅内のセキュリティシステムにおいて、ユーザ（例えば居住者）はどのセンサ４０が感知（検出）したかを迅速に把握できる。これにより、ユーザは、例えば感知したセンサ４０の設置場所に即座に移動し、現場の確認等の適切な処置を行うことができ、又は感知したセンサ４０の設置場所に近付かないようにすることもできる。この場合、ユーザは、宅内８の侵入者から与えられる危険等を回避できる。
【００８６】
また、本実施形態の宅内監視システム５では、親機１０と通話可能な１つ以上の通知先装置（例えばコードレス子機２０、固定電話機８０）が更に設けられ、親機１０は、センサ４０と１つ以上の通知先装置とが対応付けられたアラート通知先リストを記憶部１０３において記憶し、所定のイベントの検出を示すイベント検出通知音声（アラート通知音声）を所定回数、センサ４０に対応する１つ以上の通知先装置に転送する。通知先装置であるコードレス子機２０や固定電話機８０は、所定回数に亘って親機１０から転送されたイベント検出通知音声（アラート通知音声）を出力する。
【００８７】
これにより、ユーザは、宅内８にいたとしてもスマートフォン５０を所持していない場合に、ユーザの近くに配置されたコードレス子機２０においてどのセンサ４０が感知したかを迅速に把握でき、又は宅内８にスマートフォン５０を置いたままで外出した場合でも、ユーザが予め転送先として指定した固定電話機８０においてどのセンサ４０が感知したかを迅速に把握できる。
【００８８】
また、本実施形態の宅内監視システム５では、撮像部を有する少なくとも１つのカメラ３０（例えば屋内カメラ３０Ａ，監視カメラ３０Ｂ，ベビーモニタカメラ３０Ｃ）が更に設けられ、カメラ３０は、撮像部３１２で得た画像データを親機１０に送信し、親機１０は、スマートフォン５０の表示／操作部５０３に対する操作（つまり、画像データの転送要求の操作）に応じて、カメラ３０から送信された画像データをスマートフォン５０に転送し、スマートフォン５０は、親機１０から転送された画像データを表示／操作部５０３に表示する。また、親機１０は、センサ４０が所定のイベントを検出すると、所定のイベントを検出したセンサ４０に関する情報の割込み表示指示をスマートフォン５０に転送し、スマートフォン５０は、親機１０から転送された割込み表示指示に応じて、所定のイベントを検出したセンサ４０に関する情報を優先して表示／操作部５０３に表示する。
【００８９】
これにより、宅内監視システム５は、カメラ３０により撮像された画像データをスマートフォン５０において閲覧している間に宅内８のいずれかのセンサ４０が感知した場合には、画像データよりも優先して、宅内８で感知したセンサ４０に関する情報を含むアラート通知情報をスマートフォン５０に表示できる。従って、ユーザは、宅内８で感知したセンサ４０に関する情報を、直前にスマートフォン５０で表示されていた画像データよりも優先して宅内８に起きた何かしらのイベントの発生を早急に把握できる。
【００９０】
また、本実施形態の宅内監視システム５では、親機１０は、表示／操作部５０３に表示されたセンサ４０に関する情報（アラート通知情報）に対する操作（つまり、アラート通知情報のセンサ４０のセンサアイコンＩＣ５ａ又はセンサアイコンＩＣ５ｂのタップ操作）に応じて、その操作の対象となるセンサ４０に対応付けられたいずれかのカメラ３０（例えば屋内カメラ３０Ａ）に、画像データの転送を要求し、カメラ３０（例えば屋内カメラ３０Ａ）は、親機１０からの画像データの転送要求に応じて、撮像部３１２で得た画像データを親機１０に送信し、親機１０は、カメラ３０から送信された画像データをスマートフォン５０に転送する。スマートフォン５０は、所定のイベントを検出したセンサ４０に関する情報を変更して、親機１０から転送された画像データを表示／操作部５０３に表示する。
【００９１】
これにより、宅内監視システム５は、ユーザが宅内８にいてもいなくても宅内８で感知したセンサ４０に関する情報に対してスマートフォン５０に簡易な入力操作を行うことで、宅内８で感知したセンサ４０に対応付けられたカメラ３０（例えば屋内カメラ３０Ａ）が撮像した画像データに切り替えてスマートフォン５０に表示するので、ユーザに宅内８の状況を迅速に確認させることができる。
【００９２】
以上、図面を参照しながら各種の実施形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。
【００９３】
なお、図１２では、居間に設置された人感センサ４０Ａ２が所定のイベントを検出した例を説明したが、例えば玄関に設置された人感センサ４０Ａ１が所定のイベントを検出した場合には、親機１０は、コードレス子機２０だけでなく転送先の電話機としての固定電話機８０に対しても、アラート通知音声を所定回数（例えば３回）ほど転送して固定電話機８０にアラート通知音声を出力させてもよい。
【産業上の利用可能性】
【００９４】
本発明は、固定電話網に接続されて他の固定電話機と通話可能な既存の固定電話機を用いて、ユーザが宅内に設けられたセンサの設置場所を知らなくても携帯電話端末に通知することで、宅内の状況の高精度な監視を安価に実現する宅内監視システムとして有用である。
【符号の説明】
【００９５】
５  宅内監視システム
８  宅内
１０  親機
１０ａ  差込口
２０、２０Ａ、２０Ｂ  （コードレス）子機
３０  カメラ
３０Ａ  屋内カメラ
３０Ｂ  監視カメラ
３０Ｃ  ベビーモニタカメラ
４０  センサ
４０Ａ、４０Ｂ  人感センサ
４０Ｃ  煙センサ
５０  スマートフォン
６０  無線ルータ
６５  インターネット
７０  携帯電話機
７５  携帯電話網
８０  固定電話機
８５  固定電話網
１０１  固定電話回線Ｉ／Ｆ部
１０３、２４２、３０３、４４２、５０４  記憶部
１０４、２４３、３０４、５０５  音声入出力制御部
１０５、２４４、３０５  操作部
１０６、２４５  表示部
１０７、２４８、４４８  ＤＥＣＴ無線Ｉ／Ｆ部
１０８、２４９、４４９  ＤＥＣＴプロトコル制御部
１０９、２４７、３０９、４４７、５０６  制御部
１１０  呼制御部
１１２  音声ストリーム処理部
１１５  画像メモリ制御部
１１６  画像メモリ
１１７、２５５、３０７、５１５  音声バス
１２１、３２１、５０７  無線ＬＡＮ制御部
１２２、３２２、５０８  無線ＬＡＮ通信Ｉ／Ｆ部
１２６  子機／携帯端末充電部
１２７  ＵＳＢ通信Ｉ／Ｆ部
１２８、２５１、３２８、５１２  マイク
１２９、２５２、３２９、５１３  スピーカ
２５０、５５０  ２次電池
３１２  撮像部
３１３  赤外線センサ
３１５  画像メモリ
３１６  画像メモリ制御部
４４５  表示ランプ
４５０  充電池
４５３  センサ部
５０１  ３Ｇ無線Ｉ／Ｆ部
５０２  ３Ｇプロトコル制御部
５０３  表示／操作部
５１１  ＵＳＢ通信Ｉ／Ｆ部
５１４  監視機能制御部
【要約】
【課題】固定電話網に接続されて他の固定電話機と通話可能な既存の固定電話機を用いて、ユーザが宅内に設けられたセンサの設置場所を知らなくても携帯電話端末に通知することで、宅内の状況の高精度な監視を安価に実現する。
【解決手段】宅内監視システムは、所定のイベントを検出する少なくとも１つのセンサと、センサと通信可能であり、固定電話網に接続されて他固定電話機と通話可能な親機と、表示入力部を有し、親機との間で無線ルータを用いて無線通信可能であり、携帯電話網を介して他携帯電話機と接続する携帯電話端末と、を備える。親機は、センサが所定のイベントを検出すると、センサに関する情報を携帯電話端末に転送し、携帯電話端末は、親機から転送された所定のイベントを検出したセンサに関する情報を表示入力部に表示する。
【選択図】図１２【図１】
0005853180.tif 000002
【図２】
0005853180.tif 000003
【図３】
0005853180.tif 000004
【図４】
0005853180.tif 000005
【図５】
0005853180.tif 000006
【図６】
0005853180.tif 000007
【図７】
0005853180.tif 000008
【図８】
0005853180.tif 000009
【図９】
0005853180.tif 000010
【図１０】
0005853180.tif 000011
【図１１】
0005853180.tif 000012
【図１２】
0005853180.tif 000013